(57)【要約】【課題】小さい力でアンカーボルト等の雄ネジ部に対してナットのねじ込みトルクを増大させることができるソケット付ハンマーを提供する。【解決手段】柄１の一端側にハンマー頭部２を、他端側にナットＮに適合するソケットレンチ部３を備えたものとし、前記ハンマー頭部２に支持部４を設け、この支持部４にテコ棒５の支点部５ａを支持できるようにしている。【選択図】図１
2009061545.tif 000002
【特許請求の範囲】
【請求項１】
柄（１）の一端側にハンマー頭部（２）を、他端側にナット（Ｎ）に適合するソケットレンチ部（３）を備えたものとし、前記ハンマー頭部（２）に支持部（４）を設け、この支持部（４）にテコ棒（５）の支点部（５ａ）を支持できるようにしたことを特徴とするソケット付ハンマー。
【請求項２】
前記支持部（４）が、ハンマー頭部（２）の側面（２ａ）に設けたテコ棒（５）の支点部（５ａ）の挿入穴（６ａ）であることを特徴とする請求項１記載のソケット付ハンマー。
【発明の詳細な説明】
【技術分野】
【０００１】
この発明は、アンカーボルト等の雄ネジ部に対してナットのねじ込みトルクを増大させて、その雄ネジ部にナットをねじ込み締結することができるようにしたソケット付ハンマーに関するものである。
【背景技術】
【０００２】
従来のソケット付ハンマーは、一般に全体が金属パイプ等からなる柄の一端部にハンマー頭部を、他端部にソケットレンチ部を備えており、前記柄を握った状態でハンマーやソケットレンチとして使用できるようになっている。
【０００３】
例えば、図７、８に示したような従来のソケット付ハンマーでは、金属パイプや強化合成樹脂パイプなどからなる筒状の柄１１の一端部にハンマー頭部１２を、他端部に六角ナット等に適合するソケットレンチ部１３を備えている。そして、前記柄１１には覗き孔１４を形成していると共に、柄１１の外側面には六角ナット等のねじ込み量を計測するための目盛り１５を形成したものとしている。さらに、前記柄１１とハンマー頭部１２は、金属製の連結パイプ１１ａの一端を柄１１に挿入固定し、他端をハンマー頭部１２に挿入固定することにより連結固定している。ソケットレンチ部１３は、柄１１の下端に金属製のソケット１３ａを固定したものとしている（特許文献１）。
【０００４】
このように構成された従来のソケット付ハンマーは、例えば図９に示したように、アンカーボルトＢ等の雄ネジ部Ｓに対してナットＮのねじ込みを行う場合、ソケットレンチ部１３のソケット１３ａをナットＮに嵌め込んだ後に、ハンマー頭部１２を手で握り回転させて、ナットＮをねじ込み締結するようにしていた。
【特許文献１】特開平２００２−２１９６６６号公報（第２頁、図１、２、５）
【発明の開示】
【発明が解決しようとする課題】
【０００５】
しかしながら、従来のソケット付ハンマーは、上記したようにハンマー頭部１２を手で握り回転させて、ナットＮの締結を行っているため、アンカーボルトＢ等の雄ネジ部Ｓに対してナットＮを確実に締結するためのトルクを得るには、非常に強力な腕力を要するという問題点を有していた。
【０００６】
したがって、この種の従来のソケット付ハンマーにおいては、アンカーボルトＢ等の雄ネジ部Ｓに対してナットＮを締結する場合に、小さい力で確実にトルクをかけることができるものを開発されるのが待ち望まれていた。
【０００７】
そこで、この発明は、上記従来の問題点を解決することをその課題としており、小さい力でアンカーボルト等の雄ネジ部に対してナットのねじ込みトルクを増大させることができるソケット付ハンマーを提供することを目的としてなされたものである。
【課題を解決するための手段】
【０００８】
そのため、この発明のソケット付ハンマーは、柄１の一端側にハンマー頭部２を、他端側にナットＮに適合するソケットレンチ部３を備えたものとし、前記ハンマー頭部２に支持部４を設け、この支持部４にテコ棒５の支点部５ａを支持できるようにしている。
【０００９】
さらに、この発明のソケット付ハンマーは、前記支持部４を、ハンマー頭部２の側面２ａに設けたテコ棒５の支点部５ａの挿入穴６ａとしている。
【発明の効果】
【００１０】
この発明のソケット付ハンマーは、以上に述べたように構成されているので、より小さい力でアンカーボルト等の雄ネジ部に対してナットのねじ込みトルクを確実に増大させることができ、その雄ネジ部にナットを確実に締結することができるものとなり、作業効率も非常に良くなるものとなった。
【発明を実施するための最良の形態】
【００１１】
以下、この発明のソケット付ハンマーの実施の形態を、図面に基づいて詳細に説明する。
【００１２】
図１〜３に示したように、この発明のソケット付ハンマーは、本体部１ａに握り部１ｂを被覆した柄１の一端側にハンマー頭部２を、他端側にナットＮに適合するソケットレンチ部３を備えたものとし、前記ハンマー頭部２の適宜個所に支持部４を設け、この支持部４にテコ棒５の支点部５ａを支持できるようにしている。
【００１３】
本体部１ａは、ジュラルミン、アルミニウム合金、クロムモリブデン鋼、鉄、ステンレス等の金属パイプや、強化ポリカーボネート等の強化合成樹脂パイプなどからなる筒状のものとし、図２に示したように、アンカーボルトＢ等の雄ネジ部Ｓが十分に通過できる程度の内径に設定している。握り部１ｂは、ゴム、軟質合成樹脂などからなるものとしており、手で握ったときの摩擦抵抗を大きくし、滑りにくいものとしている。なお、この実施形態では、本体部１ａはハンマー頭部２側からソケットレンチ部３側に到るまで同径にしているが、ソケットレンチ部３側に向かって徐々に拡径となるように、または縮径となるように形成してもよいことはいうまでもない。
【００１４】
ハンマー頭部２は、ジュラルミン、アルミニウム合金、クロムモリブデン鋼、鉄、ステンレス等の金属からなるものとしており、図示したように、握り部１ｂから突出した本体部１ａをハンマー頭部２の下部から挿入固定している。なお、ハンマー頭部２への柄本体部１ａの挿入量は、特に限定されないが、この実施形態では、その挿入量は支持部４に干渉しないものとしている。これにより、この発明のソケット付ハンマーをハンマーとして使用した場合に、本体部１ａからハンマー頭部２が簡単に脱落しないものとなる。
【００１５】
なお、図１〜３では、先切り型と呼ばれるハンマー頭部２の形状を示したが、ハンマー頭部２の形状は、例えば図４に示した玄能型と呼ばれるもの等、他の形状とすることができるのは言うまでもない。
【００１６】
ソケットレンチ部３は、図示したように、柄１の下端に金属製のソケット３ａを固定したものとしている。このソケット３ａは、四角ナット、六角ナット等の締め付けるナットＮに適合する形状に構成している。
【００１７】
支持部４は、テコ棒５の支点部５ａを支持できるようにしたものであればどのようなものでもよく、図示したように、ハンマー頭部２の側面２ａに設けたテコ棒５の支点部５ａの挿入穴６ａとすることができる。この挿入穴６ａは、ハンマー頭部２の長手方向に直交し、柄１の中心線の延長線上に位置するようにしており、貫通穴としても、不貫通穴としてもよい。また、前記挿入穴６ａは、ハンマー頭部２の長手方向に直交し、図示したように柄１の両横に位置するようにしても、図示していないが柄１の片横に位置するようにしてもよい。
【００１８】
また、挿入穴６ａは、その直径を７〜１０ｍｍ程度としており、テコ棒５の支点部５ａが適合するものとしている。なお、前記挿入穴６ａは、テコ棒５の支点部５ａが適合するものとすれば、円形のほか、楕円、三角、四角、その他任意の形状とすることができるのは言うまでもない。
【００１９】
テコ棒５は、図５に示したように、長さ１０〜２０ｃｍ程度の金属棒としており、その支点部５ａは、ハンマー頭部２に設けた挿入穴６ａに適合して挿入できるように、挿入穴６ａの直径よりも小さめの直径としている。そして、前記支点部５ａの反対側は、把持部５ｂとしており、必要に応じてゴムや軟質合成樹脂などで被覆して、摩擦抵抗を大きくして把持し易いものとしている。なお、前記テコ棒５の支点部５ａは、前記挿入穴６ａに適合して挿入できるものとすれば、円形のほか、楕円、三角、四角、その他任意の形状とすることができるのは言うまでもない。
【００２０】
以上のように構成したこの発明のソケット付ハンマーは、ソケットレンチ部３のソケット３ａをナットＮに嵌め込み、ハンマー頭部２を回してナットＮを締め込んでいくが、最後に増し締めを行う際に、ハンマー頭部２に設けた挿入穴６ａにテコ棒５の支点部５ａを挿入して支持させ、このテコ棒５の把持部５ｂ（力点側）を手で持って、図６に示したように、ハンマー頭部２を回していく。このようにすると、柄１の中心軸からテコ棒５の把持部５ｂまでの距離が、柄１の中心軸からハンマー頭部２の先端部までの距離よりも長くなるため、ナットＮのねじ込みトルクを増大させることができ、小さい力でナットＮのねじ込み作業を行うことができる。また、錆びて固くなってしまったナットＮを緩める際にも、同様にナットＮの解放トルクを増大させることができ、小さい力で固くなってしまったナットＮを緩めることができる。
【００２１】
したがって、この発明のソケット付ハンマーは、従来のソケット付ハンマーを使用してナットＮのねじ込み作業を行う場合より、小さい力でそのねじ込み作業を行うことができるため、ナットＮを確実に締結することができるとともに、作業効率が非常に良くなるものとなる。
【００２２】
さらに、この発明のソケット付ハンマーは、電気工事現場などでの使用時には、ハンマー頭部２に設けた挿入穴６ａに、手回しドライバー（図示せず）の先端部や、その手回しドライバーの差し替え用のドライバービット（図示せず）の先端部を適合させれば、これらドライバーやドライバービットをテコ棒５の代用とすることができ、テコ棒５を紛失した場合などに何の支障もきたさないものとなる。
【図面の簡単な説明】
【００２３】
【図１】この発明のソケット付ハンマーの第一実施形態を示す側面図である。
【図２】図１に示すこの発明のソケット付ハンマーの断面図である。
【図３】この発明のソケット付ハンマーの第二実施形態を示す側面図である。
【図４】この発明のソケット付ハンマーの第三実施形態を示す側面図である。
【図５】この発明のソケット付ハンマーのハンマー頭部に設けた挿入穴に、テコ棒の支点部を支持させた状態を示す説明図である。
【図６】この発明のソケット付ハンマーの使用状態を示す説明図である。
【図７】従来のソケット付ハンマーの一例を示す側面図である。
【図８】図８に示す従来のソケット付ハンマーの断面図である。
【図９】従来のソケット付ハンマーの使用状態を示す説明図である。
【符号の説明】
【００２４】
１  柄
２  ハンマー頭部
３  ソケットレンチ部
４  支持部
５  テコ棒
５ａ  支点部
６ａ  挿入穴
Ｎ  ナット
【図１】
2009061545.tif 000003
【図２】
2009061545.tif 000004
【図３】
2009061545.tif 000005
【図４】
2009061545.tif 000006
【図５】
2009061545.tif 000007
【図６】
2009061545.tif 000008
【図７】
2009061545.tif 000009
【図８】
2009061545.tif 000010
【図９】
2009061545.tif 000011